(57)【要約】  本発明は、概して、照明シーンを変更するための装置及び方法に関する。本発明の一実施形態によれば、抽象記述から構成された照明シーンを変更するための装置２０４が提供され、本装置は、前記照明シーンのエリアを選択する手段２５２と、前記エリアの照明状態を変更する手段２５４と、前記エリアの前記照明状態の変更に関する少なくとも１つのパラメータを記録する手段２５６と、前記少なくとも１つのパラメータに基づいて前記抽象記述を調節する手段２５８とを有する。
2010532544.tif 000002
【特許請求の範囲】
【請求項１】
抽象記述から構成された照明シーンを変更するための装置であって、
前記照明シーンのエリアを選択する手段と、
前記エリアの照明状態を変更する手段と、
前記エリアの前記照明状態の変更に関する少なくとも１つのパラメータを記録する手段と、
前記少なくとも１つのパラメータに基づいて前記抽象記述を調節する手段とを有する、装置。
【請求項２】
前記抽象記述は、抽象記述言語スクリプトを有する、請求項１に記載の装置。
【請求項３】
前記選択する手段は、ユーザが前記エリアを選択することを可能にするポインティングツールを有する、請求項１又は２に記載の装置。
【請求項４】
前記変更する手段は、ユーザが変更コマンドを入力することを可能にするユーザインタフェースを有し、
前記変更する手段は、前記変更コマンドに基づいて前記エリアの前記照明状態を変更するように構成される、請求項１〜３のうちいずれか一項に記載の装置。
【請求項５】
前記変更する手段は、前記エリアの前記照明状態を変更するために、前記照明シーンを制御する制御システムとインタラクトするように構成される、請求項１に記載の装置。
【請求項６】
前記変更する手段は、前記エリアの前記照明状態を変更するために、前記抽象記述を変えるように構成される、請求項１に記載の装置。
【請求項７】
前記変更する手段は、ユーザが前記エリアの前記照明状態を変更することを可能にする可動式発光デバイスを有する、請求項１〜６のうちいずれか一項に記載の装置。
【請求項８】
前記記録する手段は、前記少なくとも１つのパラメータを測定するための少なくとも１つの検出器を有する、請求項１〜７のうちいずれか一項に記載の装置。
【請求項９】
前記調節する手段は、前記抽象記述の少なくとも１つの値を推定することにより前記抽象記述を調節するように構成される、請求項１〜８のうちいずれか一項に記載の装置。
【請求項１０】
前記調節する手段は、ユーザに対して前記少なくとも１つの値を表示するように構成される、請求項９に記載の装置。
【請求項１１】
前記調節する手段は、前記抽象記述の解釈を規定するフィルタを決定することにより前記抽象記述を調節するように構成される、請求項１〜１０のうちいずれか一項に記載の装置。
【請求項１２】
前記フィルタは、前記抽象記述の値に割り当てられた解釈値を格納するための参照テーブルを有する、請求項１１に記載の装置。
【請求項１３】
抽象記述から照明シーンを構成する手段と、
請求項１〜１２のうちいずれか一項に記載の装置とを有する、照明システム。
【請求項１４】
抽象記述から構成された照明シーンを変更するための方法であって、
前記照明シーンのエリアを選択するステップと、
前記エリアの照明状態を変更するステップと、
前記エリアの前記照明状態の変更に関する少なくとも１つのパラメータを記録するステップと、
前記少なくとも１つのパラメータに基づいて前記抽象記述を調節するステップとを有する、方法。
【請求項１５】
コンピュータにより実行されるときに請求項１４に記載の方法を実行することを可能とする、コンピュータプログラム。
【請求項１６】
請求項１５に記載のコンピュータプログラムを格納する、記録担体。
【請求項１７】
請求項１４に記載の方法を実行するようにプログラムされ、
照明システムと通信するためのインタフェースを有する、コンピュータ。
【発明の詳細な説明】
【技術分野】
【０００１】
本発明は、概して、照明シーンを変更するための装置及び方法に関する。
【背景技術】
【０００２】
照明は、装飾目的のためにますます用いられる。装飾目的のための照明システムは、店舗、ホテルのロビー、ホテルの部屋、レストラン等で既に見られ得る。これらの照明システムは、比較的多くの照明ユニット又は照明デバイス、例えば、１００若しくは１０００個のＬＥＤ（発光ダイオード）、又は、蛍光灯、白熱光源等の異なる技術の光源からなり、これらは、これらが適用される部屋の或る照明雰囲気を作り出すために同時に用いられる。
【０００３】
照明モジュール及び照明制御の開発は、複雑な照明雰囲気又はシーンの生成を可能にする。この目的のために、複数の光源及びそれ故に制御の自由度が必要とされる。従って、斯様な複雑なインフラの柔軟な取り扱いは、自動照明システムの開発のために要求すべきである。自動照明システムは、照明雰囲気の生成及びレンダリングのプロセスを少なくとも部分的に自動化するツールを提供し得る。
【０００４】
照明管理システムにおいては、抽象（雰囲気）記述言語（ＡＤＬ；abstract (atmosphere) description language）が照明雰囲気の指定のために用いられ得る。
【発明の概要】
【発明が解決しようとする課題】
【０００５】
本発明の目的は、照明シーンを変更するための改良された装置及び改良された方法を提供することにある。
【課題を解決するための手段】
【０００６】
本目的は、独立請求項により解決される。他の実施形態は、従属請求項により示される。
【０００７】
本発明のアプローチは、高度な自動化照明制御及び管理システムの要素として統合され得る。抽象（雰囲気）記述言語（ＡＤＬ）が用いられ得る。抽象（雰囲気）記述言語は、とりわけ特別に導入された照明ハードウェア又は部屋の指定レイアウトに関するいずれの明示的知識を伴うことなく、照明シーンの記述を可能にする。本発明は、スクリプトエディタが、照明スクリプトの生成及び微調整のための基準位置又は基準店舗を用いることを可能にする。これは、照明システムのエンドユーザが、照明スクリプトをユーザの好みに適合させ、将来の再利用のために変更を保存させることを提供する。
【０００８】
それ故、本発明の基本的な思想は、局所的に微調整された照明効果のフィードバックによる照明シーンの一般化である。
【０００９】
より具体的には、本発明のアプローチは、確定的な部屋についてインタラクティブに行われた変更を、照明シーンを規定する抽象記述言語にバックトラックする方法に関する。これは、微調整された状況のための確定的な照明レンダリングでというよりはむしろ、抽象記述言語スクリプトのような指定ソースにおいて変更を直接行うために必要であり得る。
【００１０】
このようにして、照明の取り付けが変わるときでさえも変更が思い出されることができ、抽象記述言語スクリプトが他の部屋においてレンダリングされるか、又は、他の理由が照明シーンの全ての制御パラメータの新たな計算のためにもたらされる。
【００１１】
このように、本発明の方法は、自動的に計算された照明雰囲気と手動で調節された照明シーンとの間のギャップを埋める。斯様な機能は、照明システムの顧客により必要とされ得る。
【００１２】
本発明の一実施形態によれば、抽象記述から構成された照明シーンを変更するための装置であって、前記照明シーンのエリアを選択する手段と、前記エリアの照明状態を変更する手段と、前記エリアの前記照明状態の変更に関する少なくとも１つのパラメータを記録する手段と、前記少なくとも１つのパラメータに基づいて前記抽象記述を調節する手段とを有する装置が提供される。
【００１３】
"照明シーン"又は"照明雰囲気"という用語は、種々異なるスペクトル成分の強度、色又はスペクトル成分のような種々異なる照明効果の組み合わせを意味する。
【００１４】
抽象記述は、照明システム又は部屋の具体的な事案から独立して、意図した照明シーンを規定することを可能にする。換言すれば、抽象記述は、部屋及び照明インフラ非依存であり、それ故、照明システム又は部屋の多くの異なる指定事案に転送され得る特定の照明雰囲気の１つの記述だけを用いることを可能にする。
【００１５】
抽象記述は、抽象（雰囲気）記述言語スクリプトを有し得る。抽象（雰囲気）記述言語は、色、相関色温度、照度等に関する照明効果を記述することを可能にする幾つかの基本命令を結合するので、有利に用いられ得る。
【００１６】
一実施形態によれば、選択する手段は、ユーザが前記エリアを選択することを可能にするポインティングツールを有し得る。ポインティングツールの利点は、これが非熟練者により容易に扱われ得るデバイスであることである。
【００１７】
他の実施形態によれば、変更する手段は、ユーザが変更コマンドを入力することを可能にするユーザインタフェースを有し得、変更する手段は、前記変更コマンドに基づいて前記エリアの前記照明状態を変更するように構成され得る。これは、ユーザがいずれかの所望の変更を直接入力することを可能にする。
【００１８】
変更する手段は、前記エリアの前記照明状態を変更するために前記照明シーンを制御する制御システムとインタラクトするように構成され得る。これは、抽象記述を変えることなく前記変更を実行することを可能にする。
【００１９】
代わりに、変更する手段は、前記エリアの前記照明状態を変更するために前記抽象記述を変えるように構成されてもよい。これは、元の照明システム又はインフラから独立して前記変更を実行することを可能にし得る。
【００２０】
他の実施形態によれば、変更する手段は、ユーザが前記エリアの前記照明状態を変更することを可能にする可動式発光デバイスを有し得る。これは、ユーザが変更コマンドを入力する必要なく前記照明シーンを変更することを可能にする。非熟練者でさえも、前記照明シーンを変更するために前記発光デバイスを用い得る。更に、ユーザは、望むようにエリアの照明状態を変更するのに適した任意の発光デバイスを用い得る。それ故、ユーザは、照明シーンを変更するための装置により提供されない発光デバイスを試し得る。
【００２１】
記録する手段は、前記少なくとも１つのパラメータを測定するための少なくとも１つの検出器を有し得る。検出器は、前記照明シーンのいずれかの変更を記録するための信頼できる機器である。更に、検出器により、ユーザが前記少なくとも１つのパラメータを供給する必要がなくなる。
【００２２】
調節する手段は、前記抽象記述の少なくとも１つの値を推定することにより前記抽象記述を調節するように構成され得る。これは、変更された抽象記述を生成することを可能にし、これは、変更された照明シーンを将来において構成するために用いられ得る。
【００２３】
更に、調節する手段は、前記少なくとも１つの値をユーザに対して表示するように構成され得る。これは、ユーザが前記抽象記述の任意の変化を観察することを可能にする。
【００２４】
他の実施形態によれば、調節する手段は、前記抽象記述の解釈を規定するフィルタを決定することにより前記抽象記述を調節するように構成され得る。それ故、前記抽象記述を自身で変える必要がなくなる。
【００２５】
前記フィルタは、前記抽象記述の値に割り当てられた解釈値を格納するための参照テーブル（look-up-table）を有し得る。参照テーブルは、実装するのが容易である。
【００２６】
本発明の他の実施形態によれば、抽象記述から照明シーンを構成する手段と、本発明による装置とを有する照明システムが提供される。
【００２７】
"照明システム"という用語は、幾つかの照明ユニットを含み得る照明用の複合システムを有し得る。
【００２８】
本発明の他の実施形態によれば、抽象記述から構成された照明シーンを変更するための方法であって、前記照明シーンのエリアを選択するステップと、前記エリアの照明状態を変更するステップと、前記エリアの前記照明状態の変更に関する少なくとも１つのパラメータを記録するステップと、前記少なくとも１つのパラメータに基づいて前記抽象記述を調節するステップとを有する方法が提供される。
【００２９】
照明シーンを変更するための方法は、本発明の実施形態による照明シーンを変更するための照明システム又は装置に対して用いられ得る。
【００３０】
本発明の他の実施形態によれば、コンピュータプログラムが提供されてもよく、これは、コンピュータにより実行されたときに本発明による前記の方法を実行することを可能にする。これは、コンパイラプログラムで本発明のアプローチを実現することを可能にする。
【００３１】
本発明の他の実施形態によれば、本発明によるコンピュータプログラムを格納する記録担体、例えば、ＣＤ−ＲＯＭ、ＤＶＤ、メモリカード、ディスケット、又は、電子アクセスのために前記コンピュータプログラムを格納するのに適した類似のデータ担体が提供され得る。
【００３２】
これら及び本発明の他の態様は、後述する実施形態から明らかになり、その実施形態を参照して説明されるだろう。
【００３３】
本発明は、例となる実施形態を参照してより詳細に後述されるだろう。しかしながら、本発明は、これらの例となる実施形態に限定されない。
【図面の簡単な説明】
【００３４】
【図１】本発明の自動照明システムを示す。
【図２】本発明の他の照明システムを示す。
【図３】本発明の照明シーンを変更するための方法のフローチャートを示す。
【発明を実施するための形態】
【００３５】
以下、機能的に類似又は同一の要素は、同一の参照数字を有し得る。
【００３６】
図１は、本発明の一実施形態の照明システム又は照明管理システムの一実施例を示している。いわゆるレンダリングパイプラインは、一の指定の照明シーンから利用可能な照明モジュールに従ってレンダリングされた照明シーンへの自動変換を可能にする。特に、図１は、或る店舗に関する抽象記述から照明雰囲気を構成するための方法のフローの概観を示している。
【００３７】
設計プロセスを通じて、例えば照明雰囲気構成コンピュータプログラムを用いることにより、抽象雰囲気記述"ab atmos desc"が生成される。抽象記述は、単に、或る意味的な位置での或る意味的な時間又は場合での照明効果の記述を含むだけである。照明効果は、或るパラメータを伴う光のタイプにより記述され得る。抽象記述は、店舗レイアウト及び照明システム非依存であり得る。それ故、これは、特定の照明システム及び部屋のレイアウトのような照明環境に関する知識をもつことなく、照明設計者により生成され得る。設計者は、照明環境の意味的な位置だけ知る必要がある。
【００３８】
抽象雰囲気記述は、図１の底部に示される手順"設計／変更"を介して雰囲気設計者又は調整者のインタラクションにより生成又は調節されてもよい。
【００３９】
抽象記述は、３つのステージにおいて、異なる照明デバイス又はユニットに関する制御値に自動的に変換され得る。
【００４０】
コンパイルステージでは、抽象表現は、店舗依存の雰囲気モデルに変換される。これは、店舗タイミング（例えば営業時間）又は店舗レイアウトのような店舗依存パラメータがコンパイルステージで利用可能であることを意味する。
【００４１】
レンダリングステージでは、全てのダイナミクス、時間依存物及びセンサ依存物が雰囲気モデルから除去される。このように、レンダリングステージは、時間的な或るポイントでの照明雰囲気のスナップショット、及び、時間的なそのポイントでの所与のセンサ信号を生成する。レンダリングステージの出力は、ターゲットと呼ばれる。ターゲットは、１又はそれ以上の視点、及び、視点毎の色分布、強度分布又はカラーレンダリングインデックス分布（Colour Rendering Index distribution）からなり得る。
【００４２】
マッピングステージは、ターゲットを実際のランプ設定に変換する。ランプ設定を計算するために、マッピングループは、アトミック効果（atomic effects）、ランプ記述又はセンサ値のような導入依存パラメータを必要とする。ランプ設定は、意図する照明雰囲気を実現するために照明インフラを制御するために用いられる。
【００４３】
ランプ設定は、図１の底部に示される手順"設計／変更"を経由して雰囲気設計者又は調整者のインタラクションにより生成又は調節されてもよい。
【００４４】
図１に示されたレンダリングパイプラインのために、抽象（雰囲気）記述言語（ＡＤＬ）は、意図した照明シーンに関する指定を書くために用いられ得る。ＡＤＬの役割の一つは、とりわけ部屋の特別に導入された照明ハードウェア又は指定レイアウトに関する如何なる明示的な知識をもつことなく照明シーンの記述を可能にすることにある。この能力は、照明シーンを設計するための高い柔軟性及び移植性を提供する。
【００４５】
斯様な自動化システムの性能が示され得る場合の明白な例は、ブランドイメージ政策の一部としてその敷地の全てに対して共通の照明デザインを導入するチェーン店である。特定の店舗の場合に関して図１に示されるように、プロセスの異なるステージで収集された追加情報を同時にもつ最初の指定は、結果として、意図したものに近づく照明シーンの少なくとも部分的に自動化されたレンダリングを生じさせる。
【００４６】
エンドユーザが自動的にレンダリングされた解決策で満足せず、それ故、これに改良又は変更を導入することを望む場合があるかもしれない。エンドユーザは、ユーザが照明管理システム（ＬＭＳ；light management system）により最初に計算された設定を変更することを可能にする関連ツール又はインタフェース、例えばLightWandを用い得る。エンドユーザが、生ずる変更された照明シーンで満足すると、ユーザは、変更された設定を格納するように進め得る。
【００４７】
斯様なプロセスは、ここに導入された照明設備で照明シーンが元の照明シーンの微調整が行われた正に指定の部屋でレンダリングされるべき場合に便利である。しかしながら、これは、変更されたシーンが異なる場所でレンダリングされるか、又は、照明設備が変更の間に用いられたものとは異なるかのいずれかの場合には、もはや当てはまらない。
【００４８】
本発明は、図１に示されたレンダリングパイプラインを有する自動照明システムにより制御された空間において、照明の色及び他の類似の効果を微調整することを目的としている。
【００４９】
自動照明システムの場合にＡＤＬを導入する利点の一つは、照明設計の柔軟性及び移植性である。しかしながら、ＡＤＬスクリプトを書くことは、非熟練者のエンドユーザにとって難しいか又は退屈な仕事かも知れないし、自動化された照明システムを開発するターゲットと矛盾する。
【００５０】
更に、実行の前にそのＡＤＬスクリプトから、実際にレンダリングされた照明雰囲気を見て場合により事前に予測することは可能な限りない。一方では、これが、利用可能なインフラ、照明設備及びレイアウトに依存し、他方では、ＡＤＬが、雰囲気製作者が照明シーンの確定的なレンダリングに影響を与え得るローカルな環境を無視することを可能にするように意味されるからである。
【００５１】
他の照明シーンの微調整又は変更を通じて実現された照明シーンが、異なるレイアウト及び照明モジュールを恐らくは特徴付ける部屋のような任意の他の場所でレンダリングされる場合には、生ずる環境をＡＤＬに逆変換することが必要とされる。
【００５２】
微調整ステップは、不測の局所的な状態に対する設計ステージでの局所的な調節を可能にし、変更の結果を視覚化する。
【００５３】
この移植性は、例えば、照明設計者が、基準店舗において自己のＡＤＬスクリプトを実行し、その後、予期又は要求された質に達するまで、設計された雰囲気を微調整することを可能にする。
【００５４】
デジタルで制御された照明システムの場合においては、微調整の後、生ずる新たな制御値が格納され得る。スライダを備えた制御パネルの場合においては、微調整された状態の制御値を保存するために写真が用いられ得る。双方の解決策は、かなり扱い難く、これらは、一般化、即ち、元のスクリプトの改良の移植性を可能にしない。
【００５５】
本発明は、自動的にレンダリングされた照明シーンを変更又は微調整することにより得られた雰囲気のＡＤＬへの逆変換を実現するための解決策について述べる。
【００５６】
一実施形態によれば、自動的にレンダリングされた元の照明シーンに関連付けられた設定、特に照明設定の変更を可能にする微調整ツールが提供される。
【００５７】
オプション的に、元のスクリプトに従って、場所、及び、もし必要であれば、照明効果が実現されるべき表面又は複数の表面の特性を示すツールを供給するユーザインタフェースが提供され得る。これは、照明スクリプトに位置をトラックバックさせ得る、ソフトウェアツールであってもよく、又は、地理的な位置を示すデバイスであってもよい。
【００５８】
更に、生ずる照明の程度を読み取る光度検出器がオプション的に提供され得る。斯様な測定器は、定量化されるべき色、色温度又は照度に関する元の照明設計に対する変更の一貫した記録を可能にし、その結果、これらは、新たなＡＤＬスクリプトを生成するために用いられ得る。その機能に従って、ＡＤＬは、色、相関色温度又は照度に関する照明効果を記述することを可能にする幾つかのプリミティブ（primitive）又は命令を一体化し得る。センサは、変更の結果が容易に測定され得ないか、又は、変更がより容易に特徴付けられ得るような他の方法が存在するときはいつでも省略され得る。例えば、ＡＤＬスクリプトのような指定に関する変更とレンダリング効果との間の直接的関係を利用可能にするデータベースが存在する場合である。一例として、元のスクリプト照明シーンが考慮され、これは、遮光板（gobo）パターンＡを用いることから生ずる効果を統合する。微調整の後、遮光板パターンＡは、Ｂに変えられ得る。斯様な場合に関して、適用された遮光板パターンの変化をユーザがユーザインタフェースを介して直接報告することは、変更されたスクリプトへの変化を測定器を介して抽象化するよりも、非常に簡単である。
【００５９】
更に、導入された変更に従って元のスクリプトを変更するソフトウェアツールが提供される。
【００６０】
本発明の他の実施形態は、入力スクリプトを変えて、変更された指定を格納する方法について述べる。
【００６１】
開始ポイントとして、既存のＡＤＬスクリプトが部屋の照明を作動させる。部屋内の照射された表面は、照明システムの空間モデルにおける表面又はエリアの表現に関連付けられる。
【００６２】
エンドユーザは、ポインティングツール、例えばuWand又はコンピュータマウスを取り、変更されるべき物理的又は視覚化されたエリアに対してポイントする。コマンドを発行することにより、ユーザは、ユーザがポインティングツールで選択した表面で照明状態を即座に変更し得る。変更コマンドは、空間モデル内の物理的エリアの関連付けられた表現に適用され得る。
【００６３】
１つのエリアのパラメータの変更は、例えば他のエリアがエリアの同一集合の部分である場合に、他のエリアの変更をもたらし得る。これは、ユーザを不愉快にすることを防止するためにスクリーン上に視覚化され得る。
【００６４】
コマンドの発行は、制御スライダ又は任意の他のツール、例えばuWandを用いることにより実現され得、ユーザが照明システムの制御システムとインタラクトすることを可能にする。更に、トーチランプ（torchlight）のような自己で光を放射するデバイスは、レンダリング効果を所望の方向にシフトさせるために用いられ得る。例えば、自己で光を放射するデバイスは、輝度を増大させるか、又は、色相、彩度若しくは色温度を変えるために用いられ得る。更に、所望の効果に到達するまで行われた変化を実現するために、スクリプトの値を直接変更し、そして、変更スクリプトの再レンダリングを可能にする他の制御モダリティが用いられてもよい。
【００６５】
制御スライダ又は任意の他のツールを用いることによりコマンドを発行し、自己で光を放射するデバイスを用いることによりレンダリング効果をシフトさせる方法は、これらの対応するＡＤＬの値を好ましくは自動的に推定するために、生ずる照明効果が光度検出器により測定されることを必要とする。推定された値又はその単純化された表現は、エンドユーザをマシン観察に同意させるためにエンドユーザに対してスクリーン上に表示され得る。
【００６６】
バックトラックシステムは、調整された雰囲気に関する新たな設定について学習するために、光度測定器を同様に用い得る。これは、手動で最初に変更されたレンダリング雰囲気を正確にもたらすために、ＡＤＬで記述される必要がある効果を計算するために、暗室調整情報（darkroom calibration information）を用いることによる補間技術を用いてもよい。
【００６７】
暗室調整に関して、照明ユニットは、１つずつ駆動される。カメラ及び／又はセンサは、環境に対する１つ１つの照明ユニットの効果を測定する。それぞれのカメラ又はセンサは、１つの視点に対応する。生ずる効果をこの手法で測定することにより、壁の色、家具、カーペット等の影響が自動的に考慮に入れられる。各照明ユニットの効果の測定はさておき、物理的な位置がそれぞれのカメラ及びセンサのために測定されることが示されるべきである。カメラが関係する限り、カメラの視野自体は、店舗の物理的な位置を示すために用いられ得る。
【００６８】
最後に、変更されたＡＤＬスクリプトが格納され得る。
【００６９】
本発明の他の実施形態は、自動照明システム又は部屋の指定の事例に対して入力スクリプトのレンダリングを変える方法について述べる。
【００７０】
前の実施形態に従って、ユーザは、変更されるべき照明シーンのエリアを選択し得る。
【００７１】
前の実施形態の結果である変更されたＡＤＬスクリプトの代わりに、この実施形態による微調整の結果は、ＡＤＬスクリプトにおける指定の命令又はコマンドが解釈される手法で変えられる。この目的のために、及び、この一般化プロセスのローカル範囲により、変化は、任意の雰囲気記述スクリプトの全ての将来的なレンダリングのために用いられる参照テーブルとして実装され得るシステム事例指定（system-instance-specific）、即ち、非一般的な空間記述フィルタに格納され、"今後の関数（from-now-on function）"を形成する。
【００７２】
例えば、ユーザがポイントしている或る壁上に青の青白い陰をレンダリングすることをシステムが目的とするときは今後いつでも、システムは、代わりに、例えばその壁のペイントを補償するために、飽和した、色鮮やかな、青みがかった効果をそこにレンダリングすべきである。この変化だけが、例えば指定所在地、店舗事例又は部屋でのこの壁に影響を及ぼす。
【００７３】
このアプローチは、例えば如何なる訓練を行うことなく、５分以内に店舗職員及び店舗装飾者により学習され得る。雰囲気設計は、必要な頻度で照明雰囲気を好みに微調整するための開始ポイントとして用いられる。
【００７４】
図２は、本発明の一実施形態による、抽象記述から照明シーンを構成する手段２０２と抽象記述から構成された照明シーンを変更するための装置２０４とを有する照明システムを示している。
【００７５】
構成する手段２０２は、メモリ２１４から供給され得る抽象記述から照明シーンを構成する。抽象記述は、抽象記述言語スクリプトであり得る。構成する手段２０２は、図１に示されたレンダリングパイプラインを有し得る。構成する手段２０２は、抽象表現から光源２２２，２２４を制御するための制御パラメータを計算するように構成される。光源２２２，２２４は、所望の照明シーンを生成するために用いられる。照明シーンは、光源２２２，２２４により照射されるべきエリア２３２，２３４を有する。照明システムは、他の光源を有し得、照明シーンは、照射されるべき他のエリアを有し得る。
【００７６】
照明シーンは、図１の底部における表示のように、ユーザにより変更され得る。変更は、抽象記述から構成された照明シーンを変更するための装置２０４を用いることにより実行され得る。装置２０４は、ユーザが規定した変更に従ってメモリ２１４に格納された抽象記述を調節するように構成され得る。調節された抽象記述は、変更された照明シーンを構成するために、構成する手段２０２により用いられ得る。
【００７７】
この実施形態によれば、装置２０４は、選択する手段２５２、変更する手段２５４、記録する手段２５６、及び、調節する手段２５８を有する。
【００７８】
選択する手段２５２は、ユーザが照明シーンのエリア２３２，２３４を選択することを可能にするように構成される。例えば、エリア２３４は、ユーザにより選択され得る。選択する手段２５２は、ポインティングツールを構成し得る。ユーザは、選択されるべきエリア２３４に向かってポインティングツールをポイントすることによりエリア２３４を選択するために、ポインティングツールを取り得る。選択されたエリア２３４に関する情報は、変更する手段２５４に供給され得る。
【００７９】
変更する手段２５４は、ユーザが選択エリア２３４の照明状態を変更することを可能にする。変更する手段２５４は、ユーザが選択エリア２３４の照明状態を変更するための変更コマンドを入力することを可能にするように構成され得る。従って、ユーザが変更コマンドを入力することを可能にするユーザインタフェースが、変更する手段２５４により提供され得る。選択されたエリア２３４の照明状態を変更するために、変更する手段２５４は、照明システムの制御システムとインタラクトするように構成され得る。制御システムは、光源２２２，２２４の設定を制御する、構成する手段２０２の部分であり得る。更に、変更する手段２５４は、選択されたエリア２３４の照明状態を変更するために抽象記述を変えるように構成され得る。
【００８０】
代わりに又は追加的に、変更する手段２５４は、可動式発光デバイスを有し得るか又は備え得る。発光デバイスは、例えば選択されたエリア２３４に向かうか又はこのエリア２３４から離れるように発光デバイスをシフトさせることにより、選択されたエリア２３４の照明状態を簡単に変更するために、ユーザにより用いられ得る。代わりに、発光デバイスは、ユーザにより供給されてもよい。
【００８１】
変更する手段２５４は、選択されたエリア２３４の照明状態の変更を規定するパラメータを、記録する手段２５６に供給するように構成され得る。変更する手段２５４がパラメータを供給することができない場合において、記録する手段２５６は、関連するパラメータ又は複数のパラメータを測定するように構成され得る。記録する手段２５６は、パラメータを測定するためのセンサ又は検出器を有し得る。記録されたパラメータは、記録する手段２５６により、調節する手段２５８に供給され得る。
【００８２】
調節する手段２５８は、メモリ２１４に格納された抽象記述のうち少なくとも１つの値又はコマンドを推定することにより抽象記述を調節するように構成され得る。調節された抽象記述は、選択されたエリア２３４の照明状態の変更を含む変更された照明シーンを構成するために、メモリ２１４に格納された元の抽象記述を置き換えて、構成する手段２０２により用いられ得る。更に、調節する手段２５８は、ユーザに対して推定値を表示するためのディスプレイを有し得る。
【００８３】
抽象記述を自己で調節する代わりに、調節する手段２５８は、抽象記述を解釈又は変換する一方で、構成する手段２０２により用いられ得るフィルタを決定するように構成され得る。フィルタにより、構成する手段２０２は、元の照明シーンではなく、変更された照明シーンを構成する。フィルタは、元の抽象記述の値又はコマンドと、構成する手段２０２による置換として用いられるべき置換の値又はコマンドとを有する参照テーブルにより実現され得る。
【００８４】
図３は、本発明の一実施形態による、抽象記述から構成された照明シーンを変更するための方法を示している。本方法は、ユーザが抽象記述から構成された照明シーンを変更することを可能にする。本方法は、変更された照明シーンを構成するために用いられ得る変更データを提供し得る。変更するための方法は、図１又は図２に示されたシステムにより用いられ得る。
【００８５】
第１のステップ３５２において、照明シーンのエリアが選択される。本選択は、前記エリアの照明状態を変更することを望むユーザにより実行され得る。第２のステップ３５４において、前記エリアの照明状態が変更される。再び、本変更は、ユーザにより実行され得る。第３のステップ３５６において、前記エリアの照明状態の変更に関する少なくとも１つのパラメータが記録される。第４のステップ３５８において、抽象記述は、少なくとも１つのパラメータに基づいて調節される。第３及び第４のステップは、自動的に実行され得る。
【００８６】
本発明のアプローチの目的は、環境に対してもつべき効果として記述される照明効果を調節することにある。ランプの効果は、制御を変えることにより、又は、他のソースから追加の光を加えることにより、操作される。そして、効果の変化が決定され、抽象記述言語に格納される。抽象記述言語スクリプトが、所望の効果の指定を含む。
【００８７】
述べられた実施形態の特徴は、適切なときに組み合わせられるか又は並列的に用いられ得る。
【００８８】
本発明の機能性の少なくとも幾つかは、ハード又はソフトウェアにより実行され得る。ソフトウェアの実行の場合において、１つ又は複数の標準的なマイクロプロセッサ又はマイクロコントローラが、本発明を実装する１つ又は複数のアルゴリズムを処理するために用いられ得る。
【００８９】
"有する"という用語は、他の要素又はステップを除外するものではなく、単数表記は、複数を除外するものではないことに留意されるべきである。更に、特許請求の範囲における如何なる参照符号も、本発明の範囲を限定するものとして考慮されるべきではない。
【図１】
2010532544.tif 000003
【図２】
2010532544.tif 000004
【図３】
2010532544.tif 000005
【国際調査報告】
2010532544.tif 000006
2010532544.tif 000007
2010532544.tif 000008
2010532544.tif 000009